(57)【要約】      （修正有）【課題】耐震性を大幅に向上することができる建築物を提供する。【解決手段】柱の内、周囲の複数の柱よりも耐力が大きい大黒柱Ａを有しており、当該大黒柱と前記周囲の柱Ｂ１とは互いに梁Ｃ２にて接合されているとともに、当該子柱の下端は礎石Ｆ上に設置され、前記大黒柱の下部Ａ１は、子柱からの地震水平力を受けても大黒柱と地盤とＧの一体性が破壊されないように、地盤中に深く埋め込まれたコンクリート構造物Ｅに一体化されている。大黒柱と地盤を一体化するコンクリート構造は、地盤に形成した孔内に入れた籠状鉄筋Ｅ２の内部に大黒柱の下部が挿入されており、当該籠状鉄筋の内外にコンクリートセメントが注入固化されており、前記コンクリート構造物の上部は地盤より上方に突出し、前記大黒柱に接続されている土台梁Ｃ１の下支とする。【選択図】図２
2019124106.tif 000002
【特許請求の範囲】
【請求項１】
柱と梁との組合せにより骨格構造が構成されている建築物であって、前記柱の内、周囲の複数の柱よりも耐力が大きい大黒柱を有しており、当該大黒柱と前記周囲の柱（以下、子柱と記す。）とは互いに梁にて接合されているとともに、当該子柱の下端は礎石上に設置され、前記大黒柱の下部は、子柱からの地震水平力を受けても大黒柱と地盤との一体性が破壊されないように、地盤中に埋め込まれたコンクリート構造物に一体化されていることを特徴とする建築物。
【請求項２】
請求項１に記載の建築物において、前記大黒柱は鋼管又はＨ形鋼等の鋼製柱若しくは鉄筋コンクリート製柱であることを特徴とする建築物。
【請求項３】
請求項１又は２に記載の建築物において、大黒柱と地盤を一体化するコンクリート構造は、地盤に形成した孔内に入れた籠状鉄筋の内部に大黒柱の下部が挿入されており、当該籠状鉄筋の内外にコンクリートセメントが注入固化されて得られたことを特徴とする建築物。
【請求項４】
請求項１から３のいずれかに記載の建築物において、前記コンクリート構造物の上部は地盤より上方に突出し、前記大黒柱に接続されている土台梁の下支えとしてあることを特徴とする建築物。
【発明の詳細な説明】
【技術分野】
【０００１】  本発明は、柱と梁との組合せにより骨格構造が構成されている建築物に関し、より詳しくは、柱の支えとして礎石を用いるいわゆる和風の建築物に関する。
【背景技術】
【０００２】  この種建築物は、礎石の上に柱を設置することで、地震時の柱破損をできるだけ避けうるという利点があるものの、梁との接合が軟弱な場合は、特許文献１のような補強手段をもちいなければ柱の傾斜による建築物の倒壊を招くこととなる。
このような問題を回避するため近年の鉄筋コンクリート建造物では、柱の多くが地中抗と一体化される構想となっているが、このような構造でも、柱にザクツが生じ、建物が破壊される事態が生じていた。
【先行技術文献】
【特許文献】
【０００３】
【特許文献１】特開２００１−１２３６７３
【発明の概要】
【発明が解決しようとする課題】
【０００４】  本発明は、このような実情に鑑み、梁と柱の結合を補強しなくとも耐震性を大幅に向上することができる建築物を提供することを目的とする。
【課題を解決するための手段】
【０００５】  本発明１の建築物は、柱の内、周囲の複数の柱よりも耐力が大きい大黒柱を有しており、当該大黒柱と前記周囲の柱（以下、子柱と記す。）とは互いに梁にて接合されているとともに、当該子柱の下端は礎石上に設置され、前記大黒柱の下部は、子柱からの地震水平力を受けても大黒柱と地盤との一体性が破壊されないように、地盤中に埋め込まれたコンクリート構造物に一体化されていることを特徴とする。
本発明２のは、本発明１の建築物において、前記大黒柱は鋼管又はＨ形鋼等の鋼製柱若しくは鉄筋コンクリート製柱であることを特徴とする。
本発明３のは、本発明１又は２の建築物において、大黒柱と地盤を一体化するコンクリート構造は、地盤に形成した孔内に入れた籠状鉄筋の内部に大黒柱の下部が挿入されており、当該籠状鉄筋の内外にコンクリートセメントが注入固化されて得られたことを特徴とする。
本発明４のは、本発明１から３のいずれかの建築物において、前記コンクリート構造物の上部は地盤より上方に突出し、前記大黒柱に接続されている土台梁の下支えとしてあることを特徴とする。
【発明の効果】
【０００６】  本発明１により、子柱は礎石上に設置されているので、水平に移動することも可能であるが、地盤に一体化されている大黒柱により、梁を介してその移動は制限され、梁と柱との連結を破壊するほどに大きな変異は阻止し建築物の倒壊を前記特許文献１のような手段をとらなくとも阻止することが可能である。
さらに、子柱は従来どおりに変異することからザクツを生じる虞がなく、この点においても耐震性を向上したこととなる。
つまり、概ね従来の和風建築物と同様な構造を用いながら、その耐震性を大幅に向上することができることとなる。
さらに、本発明２では、大黒柱地震の耐力を木材柱に比べ大幅に向上できることから、３階以下の低層建築のみならず、それを超える高層建築においても耐震性をさらに向上することができる。
本発明３のようにすることで、地盤と大黒柱の一体性は完璧に成されることとなり、コンクリート構造体の破損のおそれをなくすことができた。
また、本発明４のようにすることで、大黒柱と土台梁との結合が維持され易くなった。
【図面の簡単な説明】
【０００７】
【図１】  本発明の建築物の骨格構造を示す横断平面図。
【図２】  図１のＩＩ−ＩＩ線断正面図。
【図３】  別の実施例の要部を示す図２と同様な箇所の断面図であって、（Ｉ）は縦断正面図、（ＩＩ）は（Ｉ）のＩＩ−ＩＩ線断面図、（ＩＩＩ）は、（Ｉ）のＩＩＩ−ＩＩＩ線断面図。
【発明を実施するための形態】
【０００８】  本発明は、和風建築物を基本としているので、寺社、宮殿或は、古民家の耐震補強などにも応用可能である。
この場合、本発明の実施に適合するように大黒柱やその土台となる地盤との結合構造を新しく追加する必要があるがその他の構造は、直従前どおりに使用可能である。
本発明に用いる大黒柱は、木柱は無御論のこと、鋼管柱或はＨ型鋼等の鉄骨柱若しくは鉄筋コンクリート製柱も利用可能であり、図１に示す例では角形鋼管柱を用いた例を示す。
また、子柱、梁も材質も木製のみならず鋼管やＨ形鋼を用いることに問題はないが、実施例では木製のものを用いた例を示す。
【実施例】
【０００９】  本実施例では二階建て建築物の例を示す。
角形鋼管からなる大黒柱（Ａ）は、土台梁に（Ｃ１）と二階を造る床梁（Ｃ２）を接合するためのホゾ孔（Ａ２）（Ａ３）が設けてある。当該ホゾ孔（Ａ２）（Ａ３）は、図１に示すように縦長のメスホゾに相当する縦長鋼管を十字状に結合したもので、梁（Ｃ１）（Ｃ２）の端に形成したホゾを挿入できるようにしてある。
この大黒柱（Ａ）の下部（Ａ１）は、地盤（Ｇ）に形成した竪穴内に砕石（Ｅ１）を配して設置したコンクリート構造物（Ｅ）内に埋め込んである。
このコンクリート構造物（Ｅ）は、籠状鉄筋（Ｅ２）内に前記大黒柱の下部（Ａ１）を挿入し、この鉄筋の内外をコンクリート（Ｅ３）で充填固化して一体化したものである。
また、その上端は基礎根太の高さだけ地盤（Ｇ）から突出してあり、土台梁（Ｃ１）の大黒柱（Ａ）接合側を設置できるようにしてある。
このようにして、地震による揺れにてもは破損しない耐力をもったコンクリート構造物（Ｅ）に大黒柱の下部（Ａ１）を深く埋め込んで、地盤（Ｇ）と大黒柱（Ａ）とを強固に一体化してある。
前記大黒柱（Ａ）の周囲に配置した子柱（Ｂ１）は礎石（Ｆ）上に設置されている。そして、この子柱（Ｂ１）（四隅の子柱を除く）と前記大黒柱（Ａ）とは、土台梁（Ｃ１）により連結されている。
また、子柱同士は、土台梁（Ｄ１）にて連結されている。
土台梁（Ｃ１）（Ｄ１）は、大黒柱（Ａ）に土台梁用ホゾ孔（Ａ２）に接合する構造を持つか、子柱（Ｂ１）との接合構造のみからなるかの違いであって、その他の点は同様な構造を有している。
前記大黒柱（Ａ）は二階部分の床梁（Ｃ２）を接合するホゾ孔（Ａ３）を上下中間部に有しており、これに床梁（Ｃ２）を接合する構造としてある。このようにして大黒柱（Ａ）の座屈強度を高めえてある。
前記子柱（Ｂ１）の上端には、二階部分の子柱（Ｂ２）が接合してあり、子柱（Ｂ２）（四隅の子柱を除く）と前記大黒柱（Ａ）とは、床梁（Ｃ２）により連結されている。
また、子柱（Ｂ２）同士は、床梁（Ｄ２）にて連結されている。
床梁（Ｃ２）（Ｄ２）は、大黒柱（Ａ）に床梁用ホゾ孔（Ａ３）に接合する構造を持つか、子柱（Ｂ２）との接合構造のみからなるかの違いであって、その他の点は同様な構造を有している。
このようにして、子柱（Ｂ１）を礎石（Ｆ）の上に設置し、大黒柱（Ａ）を地盤（Ｇ）に一体化した構造とした。
その他の壁や窓屋根などの構造は、従前と変わらないので説明を省略する。
このようにして二階建ての建築物を構成することにより、地震時には、子柱（Ｂ１）（Ｂ２）が揺れても大黒柱（Ａ）が地盤と一体化しているので、梁が破損しない限り、礎石（Ｆ）から脱落するような揺れは阻止されることとなった。【００１０】  前記実施例では、大黒柱を建築物の中央に一本設置する例を示したが、長方形の構造物の場合は、一定の間隔を持って上記のような地盤一体型大黒柱を二本以上設置するのも有効である。
また、子柱が前後左右に４本以上設置される場合には、大黒柱を中央に４本設置したり、前後左右に一定間隔を持って複数配置することにより、本発明の効果を達成させることができる。【００１１】  上記実施例では大黒柱（Ａ）は、二階まで継ぎ目のないものを使用したが、二階以上は別の柱を大黒柱（Ａ）に強固に結合する構造を採用することも可能である。
また、上記実施例において三階を設置する場合は、上記大黒柱（Ａ）の上端に子柱を結合することにより設置可能である。【００１２】  図３に、一階部分のみの大黒柱の例を示す。
当該大黒柱（Ａ）は、角鋼管を用いたもので、土台梁（Ｃ１）及び二階の床梁（Ｃ２）を接合する箇所の上下に鋼板よりなるフランンジ（Ｈ１）（Ｈ２）が溶接にて一体化してある。当該フランジは、ジベル（皿ビス等）（Ｈ５）により、梁（Ｃ１）（Ｃ２）の上下面と一体化してある。
また、前記大黒柱（Ａ）の上端面は、蓋板（Ｈ３）が一体化され、その上面に角鋼管よりなる角鋼管ソケット（Ｈ４）が一体化されている。そして、このソケット（Ｈ４）に上柱（Ａ４）の下端が差し込まれ、ジベルにより一体化されている。
このようにして、大黒柱（Ａ）の耐力をさらに強固にするとともに、梁と大黒柱との接続強度を増加してある。【００１３】  図示しないが、鉄筋コンクリート製柱を大黒往とする場合は、埋設するコンクリート構造物（Ｅ）と最終的には、以下のようにして一体化するように構築する。
１）予め工場などで、所要寸法の鉄筋コンクリート製柱を製造し、これを現場に移送し      て、前記コンクリート構造物（Ｅ）を構築する際に、その構造物に下部を埋め込む      。
２）構築現場において、前記コンクリート構造物（Ｅ）を構築する際に、その上方に所      要の寸法となるように、大黒柱を型枠構築する。
当該方法では、製造工程上、大黒柱の下部をコンクリート構造物に埋め込む工程      を取る必要はない。
【符号の説明】
【００１４】  （Ａ）    大黒柱
（Ａ１）  コンクリート構造物に埋め込まれた大黒柱下部
（Ａ２）  土台梁（Ｃ１）接合用のホゾ孔
（Ａ３）  床梁（Ｃ２）接合用のホゾ孔
（Ａ４）  上柱
（Ｂ１）（Ｂ２）  子柱
（Ｃ１）（Ｄ１）  土台梁
（Ｃ２）（Ｄ２）  床梁
（Ｅ）    コンクリート構造物
（Ｅ１）  砕石
（Ｅ２）  籠状鉄筋
（Ｅ３）  コンクリート
（Ｆ）    礎石
（Ｇ）    地盤
（Ｈ１）  下側鋼板フランジ
（Ｈ２）  上側鋼板フランジ
（Ｈ３）  天板
（Ｈ４）  角鋼管ソケット
（Ｈ５）  ジベル（皿ビス等）
【図１】
2019124106.tif 000003
【図２】
2019124106.tif 000004
【図３】
2019124106.tif 000005